(57)【要約】  【課題】  経時サブトラクション処理方法および装置において、経時サブトラクション処理に使用される過去画像データを容易に取得できるようにする。  【解決手段】  基本画像データおよびこの基本画像データの付帯情報を基本画像取得手段１１によって取得し、この付帯情報に基づいて、画像データとこの画像データの付帯情報とをリンクさせて記録している画像記録手段７２から上記基本画像データに対応する過去画像データを検索取得手段２１によって自動的に検索して取得し、経時サブトラクション処理３１において上記基本画像データと過去画像データとの間で経時サブトラクション処理を行う。【選択図】          図１
2005252959.tif 000002
【特許請求の範囲】
【請求項１】
基本画像データと該基本画像データに対応する過去画像データとの間で経時サブトラクション処理を行う経時サブトラクション処理方法であって、
前記基本画像データおよび該基本画像データの付帯情報を取得し、
該付帯情報に基づいて、画像データと該画像データの付帯情報とをリンクさせて記録している画像記録手段から前記基本画像データに対応する過去画像データを自動的に検索して取得し、
前記基本画像データと前記過去画像データとの間で経時サブトラクション処理を行うことを特徴とする経時サブトラクション処理方法。
【請求項２】
基本画像データと該基本画像データに対応する過去画像データとの間で経時サブトラクション処理を行う経時サブトラクション処理装置であって、
前記基本画像データおよび該基本画像データの付帯情報を取得する基本画像取得手段と、
該基本画像取得手段により取得された前記付帯情報に基づいて、画像データと該画像データの付帯情報とをリンクさせて記録している画像記録手段から前記基本画像データに対応する過去画像データを検索して取得する検索取得手段と
前記基本画像取得手段により取得された基本画像データと前記検索取得手段により取得された過去画像データとの間で経時サブトラクション処理を行う経時サブトラクション処理手段とを備えていることを特徴とする経時サブトラクション処理装置。
【請求項３】
前記基本画像取得手段が、前記基本画像データおよび該基本画像データの付帯情報を画像情報取得装置から入力するものであることを特徴とする経時サブトラクション処理装置。
【請求項４】
外部から基本画像データを検索するための基本画像検索情報を入力する入力手段を備え、前記基本画像取得手段が、該入力手段を介して入力された基本画像検索情報に基づいて前記基本画像データおよび該基本画像データの付帯情報を前記画像記録手段から取得するものであることを特徴とする経時サブトラクション処理装置。
【請求項５】
前記基本画像取得手段が、前記基本画像データの付帯情報を放射線科情報システムから入力されて取得するものであり、この入力された付帯情報に基づいて前記基本画像データを前記画像記録手段から検索して取得するものであることを特徴とする経時サブトラクション処理装置。
【発明の詳細な説明】
【技術分野】
【０００１】
本発明は、撮影時点の相異なる２つの放射線画像における同一被写体の経時変化を求める経時サブトラクション処理方法および装置に関するものである。
【背景技術】
【０００２】
放射線画像による診断、研究においては、腫瘤等の病変部の病状進行状態や治癒状態を調べるために、同一被写体を撮影時点を変えて複数回撮影して得られた複数の放射線画像から被写体の経時変化を判断することが多い。このように被写体の経時変化を判断する具体的な手法としては、同一被写体に関する撮影時点の相異なる２つの放射線画像を示す各画像データを、２つの画像の間で位置対応が取れるように位置合わせ処理し、この位置合わせ処理後の２通りの画像データ間で減算処理を行なって、被写体の経時変化を表す差分画像を得る「経時サブトラクション処理」が知られている。この経時サブトラクション処理によって得られた経時変化量を表す差分画像（以後サブトラ画像と呼ぶ）は、そのサブトラ画像を作成する元となった原画像（以後基本画像と呼ぶ）とともに並べて観察することにより、経時変化の大きい箇所が被写体のどの部分であるかをより容易に知ることができる。
【０００３】
上記経時サブトラクション処理を行なう場合には、まず始めに診断の基準となる基本画像を示す画像データ（基本画像データ）を用意し、操作者が、この基本画像の撮影時点より前に撮影して得られた上記基本画像と同一の被写体を表す画像である過去画像を示す画像データ（過去画像データ）を患者の画像データが蓄積されている画像記録装置から探し出し、上記基本画像データと過去画像データとの間で経時サブトラクション処理を行なって上記サブトラ画像を示すサブトラ画像データを得ている（特許文献１、および特許文献２参照）。
【特許文献１】特開平０５―０１２３５２号公報
【特許文献２】特開２０００―２０６２８号公報
【発明の開示】
【発明が解決しようとする課題】
【０００４】
ところで、近年、複数の医療用画像取得装置、複数の画像記録装置、および複数の画像処理装置等を共通のネットワーク上で使用するような医療システムが構築されることがあり、このような医療システムにおいても上記経時サブトラクション処理を実施したい場合がある。
【０００５】
しかしながら、操作者が過去画像データをネットワーク上の画像記録装置から探し出す際には、過去画像データを取得するための様々な操作が必要であり、例えば操作者が操作者自身の設定による独自の検索条件に基づいて検索を行って過去画像データを取得したり、また、複数の過去画像データが複数の画像記録装置に分散されて保存されているような場合には、操作者が分散されている画像記録装置を検索するさらに複雑な操作を行なって過去画像データを取得しており、現実的にはネットワーク上での情報処理に精通した者でなければ過去画像データの取得が困難になってしまう虞がある。
【０００６】
本発明は、上記事情に鑑みてなされたものであり、経時サブトラクション処理に使用される過去画像データを容易に取得することができる経時サブトラクション処理方法および装置を提供することを目的とするものである。
【課題を解決するための手段】
【０００７】
本発明の経時サブトラクション処理方法は、基本画像データと該基本画像データに対応する過去画像データとの間で経時サブトラクション処理を行う経時サブトラクション処理方法であって、前記基本画像データおよび該基本画像データの付帯情報を取得し、該付帯情報に基づいて、画像データと該画像データの付帯情報とをリンクさせて記録している画像記録手段から前記基本画像データに対応する過去画像データを自動的に検索して取得し、前記基本画像データと前記過去画像データとの間で経時サブトラクション処理を行うことを特徴とするものである。
【０００８】
本発明の経時サブトラクション処理装置は、基本画像データと該基本画像データに対応する過去画像データとの間で経時サブトラクション処理を行う経時サブトラクション処理装置であって、前記基本画像データおよび該基本画像データの付帯情報を取得する基本画像取得手段と、該基本画像取得手段により取得された前記付帯情報に基づいて、画像データと該画像データの付帯情報とをリンクさせて記録している画像記録手段から前記基本画像データに対応する過去画像データを検索して取得する検索取得手段と前記基本画像取得手段により取得された基本画像データと前記検索取得手段により取得された過去画像データとの間で経時サブトラクション処理を行う経時サブトラクション処理手段とを備えていることを特徴とするものである。
【０００９】
前記経時サブトラクション処理装置においては、前記基本画像取得手段を、前記基本画像データおよび該基本画像データの付帯情報を画像情報取得装置から入力するものとすることができる。
【００１０】
前記経時サブトラクション処理装置においては、外部から基本画像データを検索するための基本画像検索情報を入力する入力手段を備え、前記基本画像取得手段を、該入力手段を介して入力された基本画像検索情報に基づいて前記基本画像データおよび該基本画像データの付帯情報を前記画像記録手段から取得するものとすることができる。
【００１１】
前記経時サブトラクション処理装置においては、前記基本画像取得手段を、前記基本画像データの付帯情報を放射線科情報システムから入力されて取得し、かつ、この入力された付帯情報に基づいて前記基本画像データを前記画像記録手段から検索して取得するものとすることができる。
【００１２】
上記基本画像データの付帯情報とは、少なくともこの基本画像データとの間で経時サブトラクション処理が行なわれるべき過去画像データを特定することができる情報を含むものを意味する。
【００１３】
上記画像情報取得手段とは、被写体を撮影してこの被写体を表す画像を示す画像データを取得する装置、例えばＭＲ装置、ＭＲＩ装置、あるいはＣＴ装置等を意味する。
【００１４】
上記放射線科情報システムとは、放射線科で扱う放射線画像取得装置、放射線画像記録装置、放射線画像情報を表示するための表示装置、および放射線画像の画像処理装置等をネットワークで結んだ、通称ＲＩＳと呼ばれるシステムである。
【発明の効果】
【００１５】
本発明の経時サブトラクション処理方法および装置によれば、経時サブトラクション処理を行うに当り基本画像データおよびこの基本画像データの付帯情報を取得し、この付帯情報に基づいて、画像データと該画像データの付帯情報とをリンクさせて記録している画像記録手段から上記基本画像データに対応する過去画像データを自動的に検索して取得するようにしたので、過去画像データを取得する操作を自動的に実施させることができ、操作者の熟練度等に拘らず経時サブトラクション処理に使用される過去画像データを容易に取得することができる。
【００１６】
また、基本画像取得手段を、基本画像データおよびこの基本画像データの付帯情報を画像情報取得装置から入力するものとすれば、基本画像データとの間で経時サブトラクション処理が行なわれるべき過去画像データの検索に必要な付帯情報をより確実に取得することができる。
【００１７】
また、外部から基本画像データを検索するための基本画像検索情報を入力する入力手段を備え、基本画像取得手段を、上記力手段を介して入力された基本画像検索情報に基づいて基本画像データおよびこの基本画像データの付帯情報を画像記録手段から取得するものとすれば、基本画像データとの間で経時サブトラクション処理が行なわれるべき過去画像データの検索に必要な付帯情報をより確実に取得することができる。
【００１８】
また、基本画像取得手段を、基本画像データの付帯情報を放射線科情報システムから入力されて取得するものとし、かつ、この入力された付帯情報に基づいて基本画像データを画像記録手段から検索して取得するようにすれば、基本画像データとの間で経時サブトラクション処理が行なわれるべき過去画像データの検索に必要な付帯情報をより確実に取得することができる。
【発明を実施するための最良の形態】
【００１９】
以下、本発明の実施の形態について、図面を用いて説明する。図１は本発明の第１の実施の形態の概略構成を示すブロック図である。
【００２０】
図１に示す第１の実施の形態による経時サブトラクション処理装置１０１は、基本画像データおよびこの基本画像データの付帯情報を示す付帯データを画像情報取得装置であるＣＲ装置７１から取得する基本画像取得手段１１と、基本画像取得手段１１により取得された上記付帯データに基づいて、画像データとこの画像データの付帯情報である付帯データとをリンクさせて記録している画像記録手段７２から基本画像データに対応する過去画像データを検索して取得する検索取得手段２１と、基本画像取得手段１１により取得された基本画像データと検索取得手段２１により取得された過去画像データとの間で経時サブトラクション処理を行う経時サブトラクション処理手段３１と、経時サブトラクション処理手段３１による経時サブトラクション処理によって取得されたサブトラ画像データを記憶するサブトラ画像記憶手段４１とを備えている。なお、ＣＲ装置７１は、被写体の放射線画像を潜像として記録している蓄積性蛍光体シートにレーザ光等の励起光を照射して上記蓄積性蛍光体シートから輝尽発光光を生じせしめ、この輝尽発光光を受光し光電的に読み取って上記被写体の放射線画像を表す画像データを取得する装置である。
【００２１】
次に上記実施の形態における作用について説明する。
【００２２】
ＣＲ装置７１から基本画像データおよびこの基本画像データの付帯データが出力されて経時サブトラクション処理装置１０１に入力されると、経時サブトラクション処理装置１０１の基本画像取得手段１１は上記基本画像データおよび付帯データを記憶した後、基本画像データを経時サブトラクション処理手段３１に出力すると共に付帯データを検索取得手段２１に出力する。
【００２３】
検索取得手段２１は上記付帯データによって示される患者ＩＤ、撮影モダリティ、撮影年月日、撮影方法、および撮影部位等の付帯情報に基づいて画像記録手段７１から上記基本画像データに対応する過去画像データを自動的に検索する。このとき検索取得手段２１によって検索する検索数および検索の優先順位等は予め設定され検索取得手段２１内に記憶されており、ここでは、検索数が２で、撮影時点が上記基本画像データの撮影時点に近いほど検索の優先順位が高くなるように設定されている。なお、上記付帯データに基づく検索における検索条件としては、例えば、同一患者名＆同一撮影モダリティ＆同一撮影メニュー（撮影部位、撮影方向）等の検索条件が挙げられ、この検索条件も予め設定されており検索取得手段２１内に記憶されている。また、上記撮影モダリティとは画像撮影方式の種類（ＭＲ、ＭＲＩ、ＣＴ等）を意味するものである。
【００２４】
検索取得手段２１の検索により画像記録手段７２から上記基本画像データに対応する過去画像データＡと過去画像データＢとが検索され取得されるとこれら２つの過去画像データは経時サブトラクション処理手段３１に出力される。なお、このとき画像記録手段７２中に記録されている過去画像データＡの付帯データＡには、この過去画像データＡが上記基本画像データの過去画像データであることを示す情報が付加されると共に、画像記録手段７２中に記録されている過去画像データＢの付帯データＢにも、この過去画像データＢが上記基本画像データの過去画像データであることを示す情報が付加される。
【００２５】
経時サブトラクション処理手段３１は、基本画像取得手段１１から出力された基本画像データと、検索取得手段２１から出力された過去画像データＡと過去画像データＢとを入力し、基本画像データと過去画像データＡとの間の経時サブトラクション処理を行なってサブトラ画像データＡを取得すると共に、基本画像データと過去画像データＢとの間の経時サブトラクション処理を行なってサブトラ画像データＢを取得する。上記取得されたサブトラ画像データＡおよびサブトラ画像データＢは経時サブトラクション処理手段３１からサブトラ画像記憶手段４１に出力されてサブトラ画像記憶手段４１に記憶される。また、経時サブトラクション処理手段３１は、上記サブトラ画像データＡが上記基本画像データと過去画像データＡとの間の経時サブトラクション処理によって生成された画像データであることを示すサブトラ付帯データＡを作成し、このサブトラ付帯データＡを上記サブトラ画像データＡにリンクさせてサブトラ画像記憶手段４１に記憶させる。その後、上記サブトラ画像データＡとこのサブトラ画像データＡにリンクされているサブトラ付帯データＡとはサブトラ画像記憶手段４１から画像記録手段７２に出力されサブトラ画像データＡとサブトラ付帯データＡとは画像記録手段７２にリンクされて記録される。また、上記サブトラ画像データＢについても同様の処理が施され、画像記録手段７２中にサブトラ画像データＢとこのサブトラ画像データＢの付帯情報を示すサブトラ付帯データＢとがリンクされて記録される。
【００２６】
その後、基本画像取得手段１１はこの基本画像取得手段１１に記憶されている上記基本画像データとこの基本画像データの付帯データとをリンクさせて画像記録手段７２に出力し、上記基本画像データと付帯データとはリンクされて画像記録手段７２に記録される。
【００２７】
なお、上記基本画像データに対応する過去画像データが検索取得手段２１によって検索されなかった場合（すなわち、検索条件を満たす画像データが得られなかった場合）には、基本画像データに対応する過去画像データが存在しないことを示す情報が検索取得手段２１から基本画像取得手段１１に出力される。そして、基本画像取得手段１１によって、この基本画像取得手段１１に記憶されている付帯データに、基本画像データに対応する過去画像データが無いことを示す情報が付加された後、上記基本画像データと付帯データとがリンクされて画像記録手段７２に出力される。そして、画像記録手段７２中に上記基本画像データと付帯データとがリンクされて記録される。
【００２８】
また、図２に示すように、画像記録手段７２の代わりに２つの画像記録手段（画像記録手段７２Ｊおよび画像記録手段７２Ｋ）を備えるようにし、過去画像データを検索する際に画像記録手段の検索の優先順位を検索取得手段２１によって設定可能とするようにしてもよい。例えば画像記録手段７２Ｊを経時サブトラクション処理装置１０１の筐体内に備えるようにして、画像記録手段７２Ｊの検索の優先順位を画像記録手段７２Ｋの優先順位より高くし、検索対象を画像記録手段７２Ｊのみに限定する設定を可能とするようにしてもよい。
【００２９】
また、上記図２に示すように、ＣＲ装置７１から出力され経時サブトラクション処理装置１０１に入力された画像データが経時サブトラクション処理が可能な画像データであるか否かを判定するサブトラ処理可否判定手段５１を経時サブトラクション処理装置１０１に備えるようにし、このサブトラ処理可否判定手段５１によって経時サブトラクション処理が可能と判定された画像データのみを基本画像データとして基本画像取得手段１１に入力させるようにしてもよい。
【００３０】
図３に本発明の第２の実施の形態の概略構成を表すブロック図を示す。
【００３１】
第２の実施の形態による経時サブトラクション処理装置１０２は、基本画像データおよびこの基本画像データの付帯情報を示す付帯データを取得する基本画像取得手段１２と、基本画像取得手段１２により取得された付帯データに基づいて、画像データとこの画像データの付帯情報である付帯データとをリンクさせて記録している画像記録手段７３から基本画像データに対応する過去画像データを検索して取得する検索取得手段２２と、基本画像取得手段１２により取得された基本画像データと検索取得手段２２により取得された過去画像データとの間で経時サブトラクション処理を行う経時サブトラクション処理手段３２と、経時サブトラクション処理手段３２による経時サブトラクション処理によって取得されたサブトラ画像データを記憶するサブトラ画像記憶手段４２と、上記サブトラ画像データを入力してこのサブトラ画像データによって表されるサブトラ画像を表示する表示手段６２と、外部から基本画像データを検索するための基本画像検索情報を入力する入力手段であるパーソナルコンピュータ５２とを備えている。
【００３２】
基本画像取得手段１２は、パーソナルコンピュータ５２のキーボード５２Ｌを用いて入力された基本画像検索情報に基づいて基本画像データおよびこの基本画像データの付帯データを画像記録手段７３から取得するものである。
【００３３】
次に上記実施の形態における作用について説明する。
【００３４】
操作者によるパーソナルコンピュータ５２のキーボード５２Ｌからの入力によってこのパーソナルコンピュータ５２を介して基本画像取得手段１２に基本画像検索情報である基本画像データのファイル名が入力される。基本画像取得手段１２は、入力された上記ファイル名に基づいて基本画像データおよびこの基本画像データの付帯データを画像記録手段７３から取得し記憶した後、上記基本画像データを経時サブトラクション処理手段３２に出力すると共に付帯データを検索取得手段２２に出力する。
【００３５】
検索取得手段２２は上記入力された付帯データに基づいて前述の第１の実施の形態と同様の方法で画像記録手段７３から上記基本画像データに対応する過去画像データを自動的に検索する。このとき検索取得手段２２によって検索する検索数および検索の優先順位は予め設定され検索取得手段２２内に記憶されており、ここでは、検索数が１で、撮影時点が上記基本画像データの撮影時点に近いほど検索の優先順位が高くなるように設定されている。
【００３６】
検索取得手段２２の検索により画像記録手段７３から上記基本画像データに対応する過去画像データが検索され取得されるとこの過去画像データは経時サブトラクション処理手段３２に出力される。
【００３７】
経時サブトラクション処理手段３２は、基本画像取得手段１２から出力された基本画像データと、検索取得手段２２から出力された過去画像データとを入力し、基本画像データと過去画像データとの間の経時サブトラクション処理を行なってサブトラ画像データを取得する。
【００３８】
上記取得されたサブトラ画像データは経時サブトラクション処理手段３２から出力されサブトラ画像記憶手段４２に記憶される。その後、サブトラ画像記憶手段４２に記憶されたサブトラ画像データは表示手段６２に出力され、この表示手段６２に上記サブトラ画像データによって表されるサブトラ画像が表示される。
【００３９】
基本画像検索情報の基本画像取得手段１２への入力は必ずしもキーボードによって入力しなくてもよく、例えば、画像記録手段７３に記憶されている複数の画像データのファイル名をパーソナルコンピュータ５２上に呼び出して表示画面上に表示させ、表示された複数の画像データのファイル名の中から基本画像データに指定するファイル名を選択し、この選択されたファイル名を基本画像検索情報として基本画像取得手段１２に入力させるようにしてもよい。
【００４０】
なお、基本画像検索情報は、基本画像データのファイル名に限らず、基本画像データを特定できればどのような情報であってもよい。
【００４１】
また、検索取得手段２２によって検索される過去画像データは複数であってもよく、過去画像データが複数検索された場合には、これらの過去画像データをパーソナルコンピュータ５２の表示画面上に表示させて経時サブトラクション処理を行なう対象とする過去画像データをキーボード５２Ｌによって選択した後に、上記選択された過去画像データのみについて経時サブトラクション処理手段３２による経時サブトラクション処理を行なうようにしてもよい。
【００４２】
また、基本画像データによって表される基本画像、過去画像データによって表される過去画像、およびサブトラ画像データによって表されるサブトラ画像を切り替えて表示手段６２に表示させるようにしてもよい。
【００４３】
また、上記サブトラ画像データを分析して検出異常陰影候補領域を抽出し、この領域を示すマーキングが施された上記基本画像あるいはサブトラ画像を表示手段６２に表示させるようにしてもよい。
【００４４】
図４に本発明の第３の実施の形態の概略構成を表すブロック図を示す。
【００４５】
第３の実施の形態による経時サブトラクション処理装置１０３は、基本画像データおよびこの基本画像データの付帯情報を示す付帯データを取得する基本画像取得手段１３と、基本画像取得手段１３により取得された付帯データに基づいて、画像データとこの画像データの付帯データとをリンクさせて記録している画像記録手段７４から基本画像データに対応する過去画像データを検索して取得する検索取得手段２３と、基本画像取得手段１３により取得された基本画像データと検索取得手段２３により取得された過去画像データとの間で経時サブトラクション処理を行う経時サブトラクション処理手段３３と、経時サブトラクション処理手段３３による経時サブトラクション処理によって取得されたサブトラ画像データを記憶するサブトラ画像記憶手段４３とを備えている。
【００４６】
なお基本画像取得手段１３は、上記基本画像データの付帯データを放射線科情報システム７５から入力されて取得し、この付帯データに基づいて上記基本画像データを画像記録手段７４から検索して取得するものである。
【００４７】
次に上記実施の形態における作用について説明する。
【００４８】
基本画像取得手段１３は、放射線科情報システム７５のネットワークに対して一定時間間隔毎にポーリングを行なっており、これにより放射線科情報システム７５のネットワークを介して基本画像データの付帯データがこの基本画像取得手段１３に入力される。基本画像取得手段１３に付帯データが入力されると、基本画像取得手段１３はこの付帯データに基づいて画像記録手段７４を検索し、この付帯データに対応する基本画像データを画像記録手段７４から取得して記憶した後、この基本画像データを経時サブトラクション処理手段３３に出力すると共に上記付帯データを検索取得手段２３に出力する。
【００４９】
検索取得手段２３は上記付帯データに基づいて前述の第１の実施の形態と同様の方法で画像記録手段７４から上記基本画像データに対応する過去画像データを自動的に検索する。このとき検索取得手段２３によって検索する検索数および検索の優先順位は予め設定され検索取得手段２２内に記憶されており、ここでは、検索数が１で、撮影時点が上記基本画像データの撮影時点に近いほど検索の優先順位が高くなるように設定されている。
【００５０】
検索取得手段２３の検索により画像記録手段７４から上記基本画像データに対応する過去画像データが検索され取得されるとこの過去画像データは経時サブトラクション処理手段３３に出力される。
【００５１】
経時サブトラクション処理手段３３は、基本画像取得手段１３から出力された基本画像データと、検索取得手段２３から出力された過去画像データとを入力し、基本画像データと過去画像データとの間の経時サブトラクション処理を行なってサブトラ画像データを取得する。
【００５２】
上記取得されたサブトラ画像データは経時サブトラクション処理手段３３から出力されてサブトラ画像記憶手段４３に記憶される。その後、サブトラ画像記憶手段４３は上記サブトラ画像データが上記基本画像データと過去画像データとの間の経時サブトラクション処理によって生成されたデータであることを示すサブトラ付帯データを作成し、このサブトラ付帯データを上記サブトラ画像データにリンクさせて画像記録手段７４に出力する。そして、画像記録手段７４中に上記サブトラ画像データとサブトラ付帯データとがリンクされて記憶される。
【００５３】
なお、第１の実施の形態におけるサブトラ処理可否判定手段５１、画像記録手段７２に代わる画像記録手段７２Ｋおよび画像記録手段７２Ｊ、第２の実施の形態における表示手段６２、パーソナルコンピュータ５２およびキーボード５２Ｌ等の各実施の形態において共通しない手段をこれらの手段を有しない他の実施の形態に備えるようにしてもよい。また、第１の実施の形態における経時サブトラクション処理手段３１によるサブトラ付帯データの作成機能、サブトラ画像記憶手段４１から画像記録手段７２へのサブトラ画像データおよびサブトラ付帯データの出力機能、第３の実施の形態における基本画像取得手段１３の放射線科情報システム７５からの付帯データの入力機能等の各実施の形態において共通しない機能をこれらの機能を有しない他の実施の形態の既に備えられている手段に付加するようにしてもよい。
【図面の簡単な説明】
【００５４】
【図１】本発明の第１の実施の形態の概略構成を示すブロック図
【図２】さらに機能が付加された第１の実施の形態の概略構成を示すブロック図
【図３】本発明の第２の実施の形態の概略構成を示すブロック図
【図４】本発明の第３の実施の形態の概略構成を示すブロック図
【符号の説明】
【００５５】
１１    基本画像取得手段
２１    検索取得手段
３１    経時サブトラクション処理手段
４１    サブトラ画像記憶手段
７１    ＣＲ装置
７２    画像記録手段
１０１    経時サブトラクション処理装置
【図１】
2005252959.tif 000003
【図２】
2005252959.tif 000004
【図３】
2005252959.tif 000005
【図４】
2005252959.tif 000006